(57)【要約】【課題】本発明は、例えば、同軸ケーブルをプリント基板に接続するためのコネクタに係り、極細線の同軸ケーブルをプリント基板に接続するコネクタの背を低くして、なおかつ、部品点数を削減することが課題である。【解決手段】複数本の併設された同軸ケーブルにおける各シールド線を横断し電気的接続されたグランド板を押さえて電気的導通を図る金属製面状体の当接部１ａと、前記当接部の長手方向の両端部においてプリント基板に固定するために設けられた基板装着部１ｂとからなる同軸ケーブル用コネクタ１とする。【選択図】    図１
2004253255.tif 000002
【特許請求の範囲】
【請求項１】
複数本の併設された同軸ケーブルにおける各シールド線を横断し電気的接続されたグランド板を押さえて電気的導通を図る金属製面状体の当接部と、
前記当接部の長手方向の両端部においてプリント基板に固定するために設けられた基板装着部とからなること、
を特徴とする同軸ケーブル用コネクタ。
【請求項２】
当接部に、グランド板を囲繞して収容する凹部若しくは孔部が設けられていること、
を特徴とする請求項１に記載の同軸ケーブル用コネクタ。
【請求項３】
複数本の併設された同軸ケーブルにおける各シールド線を横断し電気的導通を図る金属製面状体の当接部と、
前記当接部の長手方向の両端部においてプリント基板に固定するために設けられた基板装着部とからなること、
を特徴とする同軸ケーブル用コネクタ。
【請求項４】
基板装着部が、長手方向に沿って突出した半田付け用凸部であること、
を特徴とする請求項１乃至３のいずれかに記載の同軸ケーブル用コネクタ。
【請求項５】
基板装着部が、当接部の端部から略直交方向に屈曲されプリント基板の取付孔に挿入されるアースクランプであること、
を特徴とする請求項１乃至３のいずれかに記載の同軸ケーブル用コネクタ。
【請求項６】
基板装着部が、当接部の端部から略Ｌ字形に屈曲されプリント基板の実装面に半田付けされるアースクランプであること、
を特徴とする請求項１乃至３のいずれかに記載の同軸ケーブル用コネクタ。
【発明の詳細な説明】
【０００１】
【発明の属する技術分野】
本発明は、同軸ケーブルをプリント基板に接続するためのコネクタに係り、詳しくは、極細線の同軸ケーブルをプリント基板に接続するコネクタの背を低くして、なおかつ、部品点数を削減するようにした、電磁妨害（Ｅｌｅｃｔｒｏ  Ｍａｇｎｅｔｉｃ  Ｉｎｔｅｒｆｅｒｅｎｃｅ、以下、ＥＭＩ）対策に好適な同軸ケーブル用コネクタに関する。
【０００２】
【従来の技術】
従来において、プリント基板に同軸ケーブルを接続する場合には、例えば、外被覆を剥がし、シールド線を露出させ、樹脂製絶縁体を切除して芯線を出現させて、金属製のクランプで前記外被覆部分を把持するとともにシールド線を保持し、プリント基板に固定すると共にグランドパッドに半田付けし、前記芯線は、プリント基板上の回路に半田付けするものが知られている（例えば、特許文献１、特許文献２参照。）。
【０００３】
【特許文献１】
実開平６−３３３６４号公報（第１頁乃至第２頁、第１図乃至第３図）
【特許文献２】
実開平６−２１１５９号公報（第１頁乃至第２頁、第１図）
【０００４】
【発明が解決しようとする課題】
かかる同軸ケーブルの接続構造において、近年の電子機器における最近の軽薄短小化により、複数本の極細線同軸ケーブルをプリント基板に接続するようになっている。そこで、図１１に示すように、多数本の接続回路が併設されたプリント基板２１と合成樹脂製の絶縁体２２とを一体化して成型し、それに、同軸ケーブル２３の芯線２３ａを前記接続回路に半田付けし、同軸ケーブル２３の絶縁体を前記絶縁体２２の整列板２２ａの凹溝に通し、同軸ケーブル２３のシールド線２３ｃを横断して半田付けした金属製薄板のグランド板２３ｂを前記絶縁体２２の溝部２２ｂに収納してクランプさせ、その後、金属製シェル２４を図示のように、絶縁体２２へ片側から差し込んで組み立てるものが提案されている。
【０００５】
前記シェル２４のバネ性の端子２４ａが前記グランド板２３ｂに当接して、アース接続される。そして、図１２に示すように、前記プリント基板２１の他方の接続回路を相手方のコネクタ２５と接続させ、同軸ケーブル２３の電気的接続を図るものである。しかしかながら、同軸ケーブル用の前記コネクタ２０は、合成樹脂製の絶縁体２２にプリント基板２１を一体成形することで製品コストが嵩み、プリント基板実装面からの高さが高くなる。また、全体の部品点数も多い。本発明に係る同軸ケーブル用コネクタは、このような課題を解決するために提案されたものである。
【０００６】
【課題を解決するための手段】
上記課題を解決するために、本発明に係る同軸ケーブル用コネクタの要旨は、複数本の併設された同軸ケーブルにおける各シールド線を横断し電気的接続されたグランド板を押さえて電気的導通を図る金属製面状体の当接部と、前記当接部の長手方向の両端部においてプリント基板に固定するために設けられた基板装着部とからなることである。
また、本発明に係るコネクタの要旨は、複数本の併設された同軸ケーブルにおける各シールド線を横断し電気的導通を図る金属製面状体の当接部と、前記当接部の長手方向の両端部においてプリント基板に固定するために設けられた基板装着部とからなることである。
【０００７】
前記当接部に、グランド板を囲繞して収容する凹部若しくは孔部が設けられていること、；
前記基板装着部が、長手方向に沿って突出した半田付け用凸部であること、；
前記基板装着部が、当接部の端部から略直交方向に屈曲されプリント基板の取付孔に挿入されるアースクランプであること、；
前記基板装着部が、当接部の端部から略Ｌ字形に屈曲されプリント基板の実装面に半田付けされるアースクランプであること、を含むものである。
【０００８】
本発明に係る同軸ケーブル用コネクタによれば、合成樹脂製の絶縁体が不要となり、部品点数が削減されて、コネクタの全体が更に薄型化されると共に、組立工数が削減され、部品管理も容易になる。
【０００９】
前記当接部に、グランド板を囲繞して収容する凹部若しくは孔部が設けられていることや、前記基板装着部が長手方向に沿って突出した半田付け用凸部であること、若しくは、当接部の端部から略直交方向に屈曲されプリント基板の取付孔に挿入されるアースクランプであること、または、当接部の端部から略Ｌ字形に屈曲されプリント基板の実装面に半田付けされるアースクランプとすることで、プリント基板にコネクタを取り付ける作業が効率的になる。
【００１０】
【発明の実施の形態】
次に、本発明に係る同軸ケーブル用コネクタ１について、図面を参照して説明する。なお、発明の理解を容易にするため、従来例に対応する部分には従来例と同一の符号を付けて説明する。
【００１１】
第１実施例に係る前記同軸ケーブル用コネクタ１は、図１に示すように、併設された複数本の同軸ケーブル２３における各シールド線２３ｃを横断し半田付けにより電気的接続されたグランド板２３ｂを押さえて電気的導通を図る金属製面状体の当接部１ａと、前記当接部１ａの長手方向の両端部においてプリント基板２１に固定するために設けられた基板装着部１ｂと、からなる。
【００１２】
前記当接部１ａに、グランド板２３ｂを囲繞して収容する凹部１ｃが設けられている。また、基板装着部１ｂが、長手方向に沿って突出した半田付け用凸部である。このコネクタ１は、全体が細長い金属製の平板である。
【００１３】
図１（Ｃ）に示すように、同軸ケーブル２３のグランド板２３ｂを前記凹部１ｃに合わせて、コネクタ１と同軸ケーブル２３とを共にプリント基板２１上に載置する。前記コネクタ１をプリント基板２１のグランドパターン２１ｄ上において、前記基板装着部である凸部１ｂをグランドパターン２１ｄのパッド部に半田付けすることで、固着するものである。その際に、同軸ケーブル２３の各芯線２３ａを、プリント基板２１上の接続用回路のうちの、中心導体接続部２１ａに半田付けして接続する。これにより、同軸ケーブル用でＥＭＩ対策品としてのコネクタが、全体としてプリント基板面から背の低く、かつ、部品点数の少ないコネクタとなる。
【００１４】
第２実施例に係る同軸ケーブル用コネクタ１ｅとして、図２に示すように、前記当接部１ａにおける、グランド板２３ｂを押さえる部分の形状を、貫通した孔部１ｄとしたものである。このコネクタ１ｅと同軸ケーブル２３のグランド板２３ｂとを位置合わせする際に、孔部１ｄであることから目視でもって位置合わせしやすくなるものである。
【００１５】
第３実施例として、図３に示すように、コネクタ２が、その基板装着部２ｂとして、当接部２ａの端部から略直交方向に屈曲されプリント基板２１の取付孔２１ｃに挿入されるアースクランプを設けたものである。前記当接部２ａには、グランド板２３ｂ用の凹部２ｃ（前記凹部１ｃと同様）が設けられている。
【００１６】
前記コネクタ２により、図３（Ｃ）に示すように、凹部２ｃに同軸ケーブル２３のグランド板２３ｂを収納して、その状態で、アースクランプ２ｂをプリント基板２１の取付孔２１ｃに差し込む。そして、図４に示すように、前記アースクランプ２ｂをかしめて、コネクタ２をプリント基板２１に取り付ける。こうして、図５に示すように、プリント基板２１の相手方接続部２１ｂに、相手方コネクタ２５を嵌合させて接続する。
【００１７】
第４実施例に係るコネクタ３は、図６に示すように、前記第３実施例の変形例であり、当接部３ａにおいて、第３実施例の凹部２ｃに代わって、貫通した孔部３ｃとしたものである。このようにして、同軸ケーブル２３のグランド板２３ｂを押さえて導通を図ることができる。アースクランプ３ｂは、前記第３実施例のアースクランプ２ｂと同様である。
【００１８】
第５実施例に係るコネクタ４は、図７に示すように、基板装着部４ｂが、当接部４ａの端部から略Ｌ字形に屈曲され、プリント基板２１の実装面におけるグランドパターン２１ｄに半田付けされるアースクランプとされるものである。
【００１９】
また、図７（Ｃ）に示すように、同軸ケーブル２３のグランド板２３ｂを収納して押さえる凹部４ｃが設けられているが、これも、前述のように、貫通した孔部とした変形例にすることも提案される。
【００２０】
そして、このコネクタ４の組立には、図８及び図９に示すように、プリント基板２１に併設された回路の中心導体接続部２１ａに、前記同軸ケーブル２３の芯線２３ａをそれぞれ対応させて載置する。当該同軸ケーブル２３のグランド板２３ｂに凹部４ｃを当てがって、コネクタ４をプリント基板２１のグランドパターン２１ｄ上に載置して、基板装着部４ｂにおいて半田付けする。
【００２１】
第６実施例に係るコネクタ５は、図１０に示すように、複数本の併設された同軸ケーブル２３における各シールド線を横断し電気的導通を図る金属製面状体の当接部５ａと、前記当接部５ａの長手方向の両端部においてプリント基板に固定するために設けられた基板装着部５ｂとからなる。この実施例では、コネクタ５が、従来のグランド板２３ｂを兼用するようにしたものである。よって、図１０（Ａ）に示すように、同軸ケーブル２３のシールド線２３ｃを整列させ、前記コネクタ５と半田付けし、その後、同図（Ｃ）に示すように、プリント基板２１のグランドパターン２１ｄ上に載置して、基板装着部５ｂにおいて半田付けする。これによって、更なる部品点数の削減となる。
【００２２】
【発明の効果】
上記説明したように、本発明に係る同軸ケーブル用コネクタは、複数本の併設された同軸ケーブルにおける各シールド線を横断し電気的接続されたグランド板を押さえて電気的導通を図る金属製面状体の当接部と、前記当接部の長手方向の両端部においてプリント基板に固定するために設けられた基板装着部とからなるので、コネクタの部品点数が削減されると共に、プリント基板実装面からの高さが低く押さえられて電気・電子機器の薄型化に貢献するものとなると言う優れた効果を奏するものである。
【００２３】
前記当接部に、グランド板を囲繞して収容する凹部若しくは孔部が設けられているので、コネクタの組立の際に、位置決めの目印となって取り扱いやすくなる。
【００２４】
前記基板装着部が、長手方向に沿って突出した半田付け用凸部であることや、当接部の端部から略直交方向に屈曲されプリント基板の取付孔に挿入されるアースクランプであることによって、プリント基板への固定が容易となる。更に、前記基板装着部が、当接部の端部から略Ｌ字形に屈曲されプリント基板の実装面に半田付けされるアースクランプとすることで、コネクタ自体の変形もなく、効率的に同軸ケーブルのグランド板を押させることができるという効果がある。
【００２５】
また、複数本の併設された同軸ケーブルにおける各シールド線を横断し電気的導通を図る金属製面状体の当接部と、前記当接部の長手方向の両端部においてプリント基板に固定するために設けられた基板装着部とからなるので、部品点数が削減され、コスト低減となり及び部品管理が容易となる。
【図面の簡単な説明】
【図１】本発明の第１実施例に係る同軸ケーブル用コネクタ１の平面図（Ａ）と、拡大して示す側面図（Ｂ）、コネクタ組立の様子を示す説明図（Ｃ）である。
【図２】同第２実施例に係る同軸ケーブル用コネクタ１ｅの平面図（Ａ）と、側面図（Ｂ）である。
【図３】同第３実施例に係る同軸ケーブル用コネクタ２の平面図（Ａ）と、側面図（Ｂ）と、コネクタ組立の様子を示す説明図（Ｃ）である。
【図４】同第３実施例に係る同軸ケーブル用コネクタ２を組立てた状態の側面図（Ａ）と、平面図（Ｂ）である。
【図５】同第３実施例に係る同軸ケーブル用コネクタ２の使用状態を示す説明図（Ａ）と、その相手方コネクタ２５の側面図（Ｂ）である。
【図６】同第４実施例に係る同軸ケーブル用コネクタ３の平面図（Ａ）と、側面図（Ｂ）である。
【図７】同第５実施例に係る同軸ケーブル用コネクタ４の平面図（Ａ）と、側面図（Ｂ）と、一部拡大詳細図（Ｃ）である。
【図８】同第５実施例に係る同軸ケーブル用コネクタ４の使用状態を説明する説明図である。
【図９】同第５実施例に係る同軸ケーブル用コネクタ４の使用状態を説明する平面図（Ａ）と、側面図（Ｂ）である。
【図１０】同第６実施例に係る同軸ケーブル用コネクタ５の組立状態を説明する平面図（Ａ）と、コネクタ５の側面図（Ｂ）と、使用状態を説明する平面図（Ｃ）である。
【図１１】従来例に係る同軸ケーブル用コネクタ２０の組立を示す説明図である。
【図１２】同従来例に係る同軸ケーブル用コネクタ２０の使用状態説明図（Ａ）と、当該コネクタ２０の側面図（Ｂ）である。
【符号の説明】
１，１ｅ，２，３，４，５      各実施例の同軸ケーブル用コネクタ、
１ａ，２ａ，３ａ，４ａ，５ａ  当接部、
１ｂ，４ｂ，５ｂ              基板装着部、
１ｃ，２ｃ              凹部、            １ｄ        孔部、
２ｂ，３ｂ              アースクランプ（基板装着部）、
２１                    プリント基板、      ２１ａ          中心導体接続部、
２１ｂ                  相手方接続部、    ２１ｃ      取付孔、
２１ｄ                  グランドパターン、
２２                    絶縁体、            ２３        同軸ケーブル、
２３ａ                  芯線、                ２３ｂ      グランド板、
２３ｃ                  シールド線、
２４                    シェル、          ２５        コネクタ。
【図１】
2004253255.tif 000003
【図２】
2004253255.tif 000004
【図３】
2004253255.tif 000005
【図４】
2004253255.tif 000006
【図５】
2004253255.tif 000007
【図６】
2004253255.tif 000008
【図７】
2004253255.tif 000009
【図８】
2004253255.tif 000010
【図９】
2004253255.tif 000011
【図１０】
2004253255.tif 000012
【図１１】
2004253255.tif 000013
【図１２】
2004253255.tif 000014